(57)【要約】【課題】製造途上の中間製品である熱転写シートの保存中に熱転写シートの向かい合った面において染料が転移したことが原因となって各色の染料が混じり合うことを防ぐことのできる熱転写シートの製造方法及び製造装置を提供すること。【解決手段】少なくとも、広幅の熱転写シートを走行方向に切断してなる狭幅の熱転写シートを巻き取る工程を含む熱転写シートの製造方法であり、広幅の熱転写シートは、基材シートの一方の面に走行方向に沿って面順次に形成された複数の染料層と、他方の面に形成された背面層を有しており、上記複数の狭幅の熱転写シートを巻き取るに先立って、上記背面層を加熱する。【選択図】図１
2008012811.tif 000002
【特許請求の範囲】
【請求項１】
少なくとも、広幅の熱転写シートを走行方向に切断してなる狭幅の熱転写シートを巻き取る工程を含む熱転写シートの製造方法であって、
上記広幅の熱転写シートは、基材シートの一方の面に走行方向に沿って面順次に形成された複数の染料層と、他方の面に形成された背面層を有しており、
上記複数の狭幅の熱転写シートを巻き取るに先立って、上記背面層を加熱する熱転写シートの製造方法。
【請求項２】
上記背面層をヒートローラを用いて加熱する請求項１記載の製造方法。
【請求項３】
上記ヒートローラの表面温度を８０℃〜２００℃とする請求項２記載の製造方法。
【請求項４】
上記背面層に赤外線を照射して加熱する請求項１記載の製造方法。
【請求項５】
上記背面層に加熱した空気を吹き付けて加熱する請求項１記載の製造方法。
【請求項６】
少なくとも、基材シートの一方の面に走行方向に沿って面順次に形成された複数の染料層と他方の面に形成された背面層とを有する広幅の熱転写シートを走行方向に切断してなる狭幅の熱転写シートを巻き出す巻き出し部と、該巻き出し部から供給された上記狭幅の熱転写シートを巻き取る巻き取り部と、該巻き取り部で巻き取るに先立って上記狭幅の熱転写シートの背面部を加熱する加熱部を有してなる熱転写シートの製造装置。
【請求項７】
上記加熱部が、上記巻き取り部の上流に配置されたヒートローラである請求項６記載の製造装置。
【請求項８】
上記加熱部が赤外線ランプである請求項６記載の製造装置。
【発明の詳細な説明】
【技術分野】
【０００１】
本発明は、熱転写型カラープリンターにおいて用いられる熱転写シートの製造方法及び製造装置に関する。さらに詳しくは、製造途上の中間製品である熱転写シートはロール（巻取体）として一時的に保存されるが、その保存中に熱転写シートの向かい合った面において染料層が転移し、そのことが原因となって各色の染料が混じり合うことを防ぐことのできる熱転写シートの製造方法および製造装置に関する。
【背景技術】
【０００２】
デジタルカメラ、パーソナルコンピュータ等の機器から撮像画像ファイル等のデジタルデータを入力して直接印刷を行うカラープリンターが広く利用されており、そのカラープリンターにおける方式の１つとして昇華型熱転写方式がある。昇華型熱転写方式のカラープリンターにおいては、昇華性染料を記録剤とする熱転写シートと、その昇華性染料を受容する受像シートを使用する。それらのシートを重ね合せ、入力したデータに応じた発熱パターンをサーマルヘッドから与えることによってハードコピー（印刷画像）を出力する。サーマルヘッドによって熱転写シートを加熱することによって、その加熱量に応じた昇華性染料が受像シートに転移することによって濃淡を生じる。このことは、離散する微小なドットの密度で濃淡を擬似表現するインクジェット方式とは異なり、昇華型熱転写方式ではピクセルを領域単位とする大きさで連続的な濃淡が表現されることになる。そのため、昇華型熱転写方式においては、シャドウは勿論のこと、中間からハイライトにおいても滑らかでザラツキのない印刷再現が可能であり、銀塩写真に匹敵する高画質を得ることができるという優れた特質を有している。
【０００３】
熱転写シートは、ポリエステルフィルム等の基材シートの表裏面に機能性の層を設けた構成を有する。基材シートの表面には、イエロー、マゼンタ、シアン、ブラックの各色の染料層や、熱転写した受像シートにおける染料画像表面の耐久性を付与するための保護層等が設けられている。それらの層は、基材シートの縦方向（走行方向）に面順次で繰返すように配置されている。また、基材シートの裏面には、その全面に熱転写時のサーマルヘッドの熱による融着を防止するための背面層（耐熱層）が設けられている。また、基材と背面層、基材と染料層との密着性を向上させるため、基材と背面層、基材と染料層の間にプライマ層を設けることも行われている（特許文献１）。
【０００４】
これらの層の形成はグラビア印刷機を使用する塗工によって行うことができる。グラビア印刷によるプライマ層、染料層、背面層の塗工工程では、通常５００〜２０００ｍｍ幅程度の長尺広幅の基材シートのロール（巻取体）を原反として使用する。グラビア印刷機のシート巻き出し部に装着された基材シートロールは巻き解かれ、印刷部においてプライマ層、染料層、保護層、そして背面層の塗工が行われ、数メートルから数十メートルの乾燥部において乾燥が行われ、巻き取り部において巻き取られロールを形成する。この加工済みのロールはマスターロールと呼ばれる。マスターロールは、投入した原反と同様の長尺広幅の中間製品の熱転写シートであって、最終製品の熱転写シートが縦横方向に複数配列した形態となっている。
【０００５】
そのマスターロールをスリッタを使用して最終製品の熱転写シートと同じ巾にスリットして巻き取ることにより、スリットロールが製造される（特許文献２）。このスリットロールも中間製品の熱転写シートである。
【０００６】
最後に、そのスリットロールを巻き解いてボビン等に所定長を巻き取り小巻ロールを形成し、その小巻ロールをカセットに収める等を行って最終製品の熱転写シート（インクリボンカセット）が製造される。また、マスターロールをスリットしながら直接ボビン等に所定長を巻き取り小巻ロールを形成してもよい。
【特許文献１】特開２００３−００１９４４号公報
【特許文献２】特開２００３−３３５４３８号公報
【発明の開示】
【発明が解決しようとする課題】
【０００７】
製造途上の中間製品であるマスターロールとスリットロールは、それぞれ、一時的に保存されるが、その保存中に熱転写シートの向かい合った面において染料層から背面層に昇華性染料が転移する。次に、マスターロールからスリットロールを製造したときに、すなわち巻き返しを行うと、染料層と背面層の向かい合う面が変化する。このとき、背面層側に転移した染料の一部は、染料層または保護層側に再転移して戻ってくるため、各色の昇華性染料が混じり合うことになり、色再現性において品質の好ましくない画像となってしまう。また保護層は無着色であることが望ましいが、この熱転写シートを用いて画像を形成すると、再転位した染料で着色され色再現において品質の好ましくない画像となってしまう。
【０００８】
このような染料の転移・再転移による課題を解決するために、マスターロール、スリットロールを低温環境下で取り扱うことによって、染料の転移を減少させることが行われているが、取扱が面倒なこと、結露してしまうことがあること、低温環境下にしても完全には染料転移を無くせないという問題があった。
【０００９】
また別の方法として、マスターロールを巻き上げる時に間紙を入れ、最終製品形態の熱転写シートに巻き上げる時に間紙を取り除くという方法が行われているが、最終製品では不要な間紙のために余計なコストがかかること、間紙を取り除くために熱転写シートの巻上速度を上げられず生産性が悪くなるという問題があった。
【００１０】
本発明は上記の問題を解決するために成されたものである。すなわち、本発明の目的は、製造途上の中間製品である熱転写シートの保存中に熱転写シートの向かい合った面において染料が転移したことが原因となって各色の染料が混じり合うことを防ぐことのできる熱転写シートの製造方法及び製造装置を提供することにある。
【課題を解決するための手段】
【００１１】
上記課題を解決するため、本発明の熱転写シートの製造方法は、少なくとも、広幅の熱転写シートを走行方向に切断してなる狭幅の熱転写シートを巻き取る工程を含む熱転写シートの製造方法であって、上記広幅の熱転写シートは、基材シートの一方の面に走行方向に沿って面順次に形成された複数の染料層と、他方の面に形成された背面層を有しており、上記複数の狭幅の熱転写シートを巻き取るに先立って、上記背面層を加熱することを特徴とする。
【００１２】
本発明の製造方法においては、背面層をヒートローラを用いて加熱することができる。この場合、ヒートローラの表面温度を８０℃〜２００℃とすることが好ましい。
【００１３】
また、背面層に赤外線を照射して加熱することもできる。
【００１４】
また、背面層に加熱した空気を吹き付けて加熱することもできる。
【００１５】
また、本発明の製造方法には、例えば、以下の製造装置を用いることができる。すなわち、本発明の製造装置は、少なくとも、基材シートの一方の面に走行方向に沿って面順次に形成された複数の染料層と他方の面に形成された背面層とを有する広幅の熱転写シートを走行方向に切断してなる狭幅の熱転写シートを巻き出す巻き出し部と、該巻き出し部から供給された上記狭幅の熱転写シートを巻き取る巻き取り部と、該巻き取り部で巻き取るに先立って上記狭幅の熱転写シートの背面部を加熱する加熱部を有してなることを特徴とする。
【００１６】
また、本発明の製造装置は、加熱部に、巻き取り部の上流に配置されたヒートローラを用いることができる。
【００１７】
また、加熱部に赤外線ランプを用いることができる。
【発明の効果】
【００１８】
本発明によれば、狭幅の熱転写シートを巻き取るに先立って、その背面層を加熱するようにしたので、その背面層に転移した染料は背面層に熱定着され、巻き取った小巻ロールを長期間保存しても背面側に転移した染料が染料層または保護層側に再転移することを抑制できる。これにより、染料が再転移したことが原因となって各色の染料が混じり合うことを防止できる。
【発明を実施するための最良の形態】
【００１９】
以下、図面を参照して、本発明の実施形態を説明する。
実施の形態１．
図１は、本実施の形態に係る製造方法に用いる製造装置の構成の一例を示す模式図である。
本実施の形態に用いる製造装置は、走行方向の上流側から、狭幅の熱転写シートを巻き出す巻き出し部１と、巻き出し部１から搬送された狭幅の熱転写シートを巻き上げる巻き上げ部２と、巻き上げ部２から搬送された狭幅の熱転写シートを巻き取る巻き取り部３とが順次配置されている。巻き上げ部２は、上流側に配置されたローラ５と、下流側に配置されたローラ６、そしてその中間に配置され、加熱部を兼ねるヒートローラ９とから構成されている。
【００２０】
以下、製造方法について説明する。
巻き出し部１は、狭幅の熱転写シートが巻回されたスリットロール４を有しており、スリットロール４から巻き出された狭幅の熱転写シート１０は、その背面層がヒートロール９に接するように巻き上げ部２に搬送され、背面層はヒートローラ９により加熱される。そして、ヒートローラ９を通過した狭幅の熱転写シート１０は、ローラ６を経て巻き取り部３により巻き取られて小巻ロール７が製造される。
【００２１】
本実施の形態によれば、巻き取り部の上流側に配置したヒートローラにより背面層を加熱することにより、背面層に転移した染料を定着することができるので、小巻ロールでの再転位を防止することができる。ヒートローラの表面温度は、背面に転移した染料の量、シートの送り速度、シートとヒートローラとの接触長さによって調整することができ、好ましくは８０℃〜２００℃である。温度が８０℃よりも低いと、背面側に転移した染料の定着が不十分となり、小巻ロールでの再転位を防止する効果が発現しなくなる。また、温度が２００℃よりも高いと染料層の感熱記録特性に変化が生じたり、シートが熱変形を起こす。
【００２２】
なお、ヒートローラは所定位置に固定した構成とすることもできるが、可動に配置することが好ましい。巻き取りの開始時や終了時にシートの送り速度の減速や停止が起こるので、ヒートローラの位置を可動にしてシートを円滑に移動させる。
【００２３】
本実施の形態では、加熱部にヒートローラを用いた例を示したが、加熱部はヒートローラに限定されず、背面層の温度を上げることが可能であればいかなる手段を用いることもできる。例えば、赤外線ランプを用いて加熱する方法や熱風送風機を用いて加熱した空気を吹き付けて加熱する方法等を挙げることができる。
【００２４】
また、巻き上げ部の下流側に冷却ローラを配置し、シートの温度を下げてから巻き取ることもできる。
【００２５】
本実施の形態に用いる熱転写シートの基材としては、従来公知のある程度の耐熱性と強度を有するものであればいずれのものでも良く、例えば、０．５〜５０μｍ、好ましくは１〜１０μｍ程度の厚さのポリエチレンテレフタレートフィルム、１，４−ポリシクロヘキシレンジメチレンテレフタレートフィルム、ポリエチレンナフタレートフィルム、ポリフェニレンサルフィドフィルム、ポリスチレンフィルム、ポリプロピレンフィルム、ポリサルホンフィルム、アラミドフィルム、ポリカーボネートフィルム、ポリビニルアルコールフィルム、セロハン、酢酸セルロース等のセルロース誘導体、ポリエチレンフィルム、ポリ塩化ビニルフィルム、ナイロンフィルム、ポリイミドフィルム、アイオノマーフィルム等が挙げられるが、ポリエチレンテレフタレートフィルムが好ましい。
【００２６】
本実施の形態に用いる染料層は、色相の異なる染料を含む複数の染料層を、同一基材の同一面に面順次に、繰り返し形成したものを用いることができる。染料層は、熱移行性染料を任意のバインダーにより担持してなる層である。使用する染料としては、熱により、溶融、拡散もしくは昇華移行する染料であって、従来公知の昇華転写型熱転写シートに使用されている染料は、いずれも本発明に使用可能であるが、色相、印画濃度、耐光性、保存性、バインダーへの溶解性等を考慮して選択することができる。
【００２７】
染料としては、例えばジアリールメタン系、トリアリールメタン系、チアゾール系、メロシアニン、ピラゾロンメチン等のメチン系、インドアニリン、アセトフェノンアゾメチン、ピラゾロアゾメチン、イミダゾルアゾメチン、イミダゾアゾメチン、ピリドンアゾメチンに代表されるアゾメチン系、キサンテン系、オキサジン系、ジシアノスチレン、トリシアノスチレンに代表されるシアノメチレン系、チアジン系、アジン系、アクリジン系、ベンゼンアゾ系、ピリドンアゾ、チオフェンアゾ、イソチアゾールアゾ、ピロールアゾ、ピラールアゾ、イミダゾールアゾ、チアジアゾールアゾ、トリアゾールアゾ、ジズアゾ等のアゾ系、スピロピラン系、インドリノスピロピラン系、フルオラン系、ローダミンラクタム系、ナフトキノン系、アントラキノン系、キノフタロン系等のものが挙げられる。
【００２８】
また、染料層のバインダーとしては、従来公知の樹脂バインダーがいずれも使用でき、好ましいものを例示すれば、エチルセルロース、ヒドロキシエチルセルロース、エチルヒドロキシセルロース、ヒドロキシプロピルセルロース、メチルセルロース、酢酸セルロース、酪酸セルロース等のセルロース系樹脂、ポリビニルアルコール、ポリ酢酸ビニル、ポリビニルブチラール、ポリビニルアセタール、ポリビニルピロリドン、ポリアクリルアミド等のビニル系樹脂、ポリエステル系樹脂、フェノキシ樹脂等が挙げられる。これらの中で、耐熱性、染料の移行性等の観点から、セルロース系樹脂、ビニル系樹脂及びポリエステル系樹脂等が特に好ましい。
【００２９】
染料層は、上記染料、バインダーと、その他必要に応じて従来公知の各種添加剤を加えてもよい。その添加剤として、例えば、受像シートとの離型性やインキの塗工適性を向上させるために、ポリエチレンワックス等の有機微粒子、無機微粒子、シリコーンオイル、リン酸エステルなどが挙げられる。このような染料層は、通常、適当な溶剤中に上記染料、バインダーと、必要に応じて添加剤を加えて、各成分を溶解または分散させて塗工液を調製し、その後、この塗工液を基材の上に塗布、乾燥させて形成することができる。この塗布方法は、グラビア印刷法、スクリーン印刷法、グラビア版を用いたリバースロールコーティング法等の公知の手段を用いることができる。
【００３０】
本実施の形態に用いる背面層は、サーマルヘッドの熱によるスティッキングや印字しわ等を防止する。背面層は樹脂からなり、さらにはサーマルヘッドとの滑り性を向上させるため、固形あるいは液状の離形剤又は滑剤を添加することもできる。樹脂には、エチルセルロース、ヒドロキシエチルセルロース、ヒドロキシプロピルセルロース、メチルセルロース、酢酸セルロース、酢酪酸セルロース、硝化綿などのセルロース系樹脂、ポリビニルアルコール、ポリ酢酸ビニル、ポリビニルアルコール、ポリ酢酸ビニル、ポリビニルブチラール、ポリビニルアセタール、ポリビニルピロリドンなどのビニル系樹脂、ポリメタクリル酸メチル、ポリアクリル酸エチル、ポリアクリルアミド、アクリロニトリル／スチレン共重合体などのアクリル系樹脂、ポリアミド樹脂、ビニルトルエン樹脂、クマロインデン樹脂、ポリエステル系樹脂、シリコーン変性ウレタン樹脂、フッ素変性ウレタン樹脂などを挙げることができる。
【００３１】
離型剤又は滑剤としては、例えば、ポリエチレンワックス、パラフィンワックス等の各種ワックス類、高級脂肪酸アルコール、オルガノポリシロキサン、アニオン系界面活性剤、カチオン系界面活性剤、両性界面活性剤、ノニオン系界面活性剤、フッ素系界面活性剤、有機カルボン酸及びその誘導体、フッ素系樹脂、シリコーン系樹脂、タルク、シリカ等の無機化合物粒子を用いることができる。このような背面層は、通常、適当な溶剤中に上記樹脂と、必要に応じて離型剤又は滑剤を加えて、各成分を溶解または分散させて塗工液を調製し、その後、この塗工液を基材の上に塗布、乾燥させて形成することができる。この塗布方法は、グラビア印刷法、スクリーン印刷法、グラビア版を用いたリバースロールコーティング法等の公知の手段を用いることができる。
【００３２】
実施の形態２．
本実施の形態に用いる製造装置は、加熱部として巻き上げ部のヒートローラに代えて赤外線ランプを用いた以外は、実施の形態１で用いた製造装置と同様の構成を有する。
図２は、本実施の形態に係る製造方法に用いる製造装置の構成の一例を示す模式図である。巻き上げ部２は通常の搬送ローラ５，１１，６で構成されている。中間ローラ１１の近傍には、熱転写シート１０を介して、赤外線ランプ１２からなる加熱部が配置されており、中間ローラ１１を通過する熱転写シートの背面を赤外線により加熱する。
【００３３】
本実施の形態によれば、実施の形態１と同様の効果が得られるのみならず、赤外線ランプの光量を自由に調整することにより、巻き取りの加減速に合わせて温度を容易に調整することができるという効果を有する。これにより、背面層の染料の定着を効率的に行うこができ、生産性をさらに向上させることができる。
【００３４】
実施の形態３．
本実施の形態に用いる製造装置は、巻き出し部１に代えて、広幅の熱転写シートを巻き出す巻き出し部２０と、巻き出し部２２から広幅の熱転写シートを搬送する搬送部２１と、搬送部２１からの広幅の熱転写シートを走行方向に切断して狭幅の熱転写シートを形成するスリット部２２を設けた以外は、実施の形態１で用いた製造装置と同様の構成を有する。
【００３５】
図３は、本実施の形態に係る製造方法に用いる製造装置の構成の一例を示す模式図である。巻き出し部２０は、広幅の熱転写シート３０が巻回されたマスターロール２３を有しており、マスターロール２３から巻き出された広幅の熱転写シート３０は、搬送ローラ２４，２５，２６により搬送され、スリット部２２で走行方向に切断され、狭幅の熱転写シート１０となる。この狭幅の熱転写シート１０は、ヒートローラ９を有する巻き上げ部２に搬送された後、巻き取り部３で巻き取られ、小巻ロール７が製造される。このスリット部としては、例えば、特開２００１−３８６７４号公報に記載された切断装置を用いることができる。すなわち、スリット部２２は、広幅の熱転写シートを巻き付けて支持する円筒状支持体２７と、その支持体上のシートに対して平行に回転自在に配置された回転シャフト２８と、その回転シャフト２０に固着されシートを切断する回転刃２９とから構成することができる。なお、スリット部はこれに限定されず、広幅のシートを走行方向に切断し狭幅のシートを製造可能であれば、本実施の形態には適用可能である。
【００３６】
本実施の形態によれば、広幅の熱転写シートの狭幅の熱転写シートへの切断、そして狭幅の熱転写シートから小巻ロールの製造を連続して行う場合であっても、小巻ロールでの再転位を容易に防止することができる。
【図面の簡単な説明】
【００３７】
【図１】本発明の実施の形態１に係る製造方法に用いる製造装置の構成の一例を示す模式図である。
【図２】本発明の実施の形態２に係る製造方法に用いる製造装置の構成の一例を示す模式図である。
【図３】本発明の実施の形態３に係る製造方法に用いる製造装置の構成の一例を示す模式図である。
【符号の説明】
【００３８】
１，２０          巻き出し部
２                巻き上げ部
３                巻き取り部
４                スリットロール
５，６，７，１１  ローラ
９                ヒートローラ
１０              狭幅の熱転写シート
１２              赤外線ランプ
２１              搬送部
２２              スリット部
２３              マスターロール
２４，２５，２６  ローラ
２７              円筒状支持体
２８              回転シャフト
２９              回転刃
３０              広幅の熱転写シート
【図１】
2008012811.tif 000003
【図２】
2008012811.tif 000004
【図３】
2008012811.tif 000005